(57)【要約】【課題】使用者が別部品の固定が不完全な状態であると気づかなくても、別部品の落下を防止できる落下防止器具、落下防止器具を備える手術用顕微鏡及びユニットを提供する。【解決手段】落下防止器具５は、第１の部品に対して接続固定ネジ４により第２の部品を接続した物品の接続部に取り付けられる落下防止器具であって、開口部７を有する第１の面を備え、接続固定ネジが開口部の内側に位置し、且つ開口部と接触しないように、第１の面が第２の部品に固定される。【選択図】図２
2014191004.tif 000002
【特許請求の範囲】
【請求項１】
第１の部品に対して接続固定ネジにより第２の部品を接続した物品の接続部に取り付けられる落下防止器具であって、
開口部を有する第１の面を備え、
前記接続固定ネジが前記開口部の内側に位置し、且つ前記開口部と接触しないように、前記第１の面が前記第２の部品に固定される落下防止器具。
【請求項２】
前記第１の面と接続し、前記接続固定ネジの一端を覆う第２の面を更に備える請求項１に記載の落下防止器具。
【請求項３】
前記第１の部品が実体顕微鏡であり、前記第２の部品がレーザ照射ユニットである請求項１又は２に記載の落下防止器具を備える手術用顕微鏡。
【請求項４】
前記実体顕微鏡にアリ溝が形成され、
前記レーザ照射ユニットにアリガタが形成され、
前記アリ溝と前記アリガタが嵌合し、
前記接続固定ネジが前記アリガタの傾斜側面を押圧する請求項３に記載の手術用顕微鏡。
【請求項５】
第１の部品の下部に取り外し可能に取り付けられる、落下防止器具を備えるユニットであって、
前記落下防止器具は、開口部を有する第１の面と、前記開口部の上部に前記第１の部品と反対の方向に延伸する第２の面とを有し、
前記開口部を貫通し、前記開口部の淵に接触せずに前記第１の部品と前記ユニットとを固定する接続固定ネジと、を備える落下防止器具を備えるユニット。
【請求項６】
前記第２の面は、前記開口部の上部から前記第１の部品と反対の方向に所定の距離延伸したのち下方向へ屈曲している請求項５に記載の落下防止器具を備えるユニット。
【発明の詳細な説明】
【技術分野】
【０００１】
本発明は、ネジで固定される物体の落下を防止する落下防止器具、落下防止器具を備える手術用顕微鏡及び落下防止器具を備えるユニットに関する。
【背景技術】
【０００２】
医療現場において、術部を拡大観察しながら手術を行うために、術部を拡大観察する実体顕微鏡に交換可能な別部品を装着して使用する手術用顕微鏡が用いられている。この実体顕微鏡に装着した別部品の落下を防止するための構成が提案されている。例えば特許文献１には、手術用顕微鏡において、別部品である接眼鏡筒はアリガタ（ｄｏｖｅｔａｉｌ
ｔｅｎｏｎ）を備え、実体顕微鏡の本体に形成されたアリ溝（ｄｏｖｅｔａｉｌ  ｇｒｏｏｖｅ）に接眼鏡筒側のアリガタを挿入し、横から固定ネジで固定し、固定ネジの軸部上に固定が不完全な時に露出する指標を設けた構成が記載されている。
【０００３】
これにより接眼鏡筒が実体顕微鏡から抜け落ちるような状態になった場合、固定ネジに設けられた指標が露出されるため、術者が事前に異常に気づき落下を防止することができる。
【先行技術文献】
【特許文献】
【０００４】
【特許文献１】実開平２−５１５２７号公報
【発明の概要】
【発明が解決しようとする課題】
【０００５】
前述のような従来の構成は、実体顕微鏡に装着した別部品の固定が不完全な時に固定ネジの指標が露出されるが、別部品の実体顕微鏡からの落下を防止するものではないため、例えば術者が指標に気づかない場合には、別部品が落下してしまう可能性がある。
そこで本発明は、術者が別部品の固定が不完全な状態であると気づかなくても、別部品の落下を防止できる落下防止器具、落下防止器具を備える手術用顕微鏡及びユニットを提供することを目的とする。
【課題を解決するための手段】
【０００６】
そこで本発明の一態様によって実現される落下防止器具は、第１の部品に対して接続固定ネジにより第２の部品を接続した物品の接続部に取り付けられる落下防止器具であって、開口部を有する第１の面を備え、接続固定ネジが開口部の内側に位置し、且つ開口部と接触しないように、第１の面が第２の部品に固定される。
【０００７】
また、本発明の一態様によって実現される落下防止器具を備える手術用顕微鏡は、第１の部品が実体顕微鏡であり、第２の部品がレーザ照射ユニットであり、第１の部品に対して接続固定ネジにより第２の部品を接続した物品の接続部に取り付けられる落下防止器具であって、開口部を有する第１の面を備え、接続固定ネジが開口部の内側に位置し、且つ開口部と接触しないように、第１の面が第２の部品に固定される落下防止器具を備える。また、本発明の一態様によって実現される落下防止器具を備えるユニットは、第１の部品の下部に取り外し可能に取り付けられる、落下防止器具を備えるユニットであって、落下防止器具は、開口部を有する第１の面と、開口部の上部に第１の部品と反対の方向に延伸する第２の面とを有し、開口部を貫通し、開口部の淵に接触せずに第１の部品とユニットとを固定する接続固定ネジとを備える。
【発明の効果】
【０００８】
本発明の落下防止器具によれば、第１の開口部の内側に接続固定ネジが位置するように落下防止器具が固定されるため、万が一接続固定ネジで固定する第１の部品と第２の部品のいずれかが落下しそうになった場合であっても、接続固定ネジが第１の開口部に掛合し、落下を防止することができるという効果がある。
【図面の簡単な説明】
【０００９】
【図１】本発明の実施の形態の落下防止器具を備える手術用顕微鏡の外観を示す図
【図２】本発明の実施の形態の落下防止器具を備える手術用顕微鏡の顕微鏡部を拡大した斜視図
【図３】本発明の実施の形態の実体顕微鏡とレーザ照射ユニットの接続部の断面図
【図４】本発明の実施の形態の落下防止器具付近を拡大した斜視図
【図５】本発明の実施の形態の落下防止器具の外観を示す斜視図
【図６】本発明の実施の形態のネジの押圧が減少したときの実体顕微鏡とレーザ照射ユニットの接続部の断面図
【図７】本発明の実施の形態のネジの押圧が減少したときの落下防止器具付近の拡大図
【発明を実施するための形態】
【００１０】
以下に、本発明の落下防止器具及び落下防止器具を備える手術用顕微鏡の実施の形態を図面とともに詳細に説明する。
（実施の形態）
図１は、本発明の実施の形態の落下防止器具を備える手術用顕微鏡の外観を示す図であり、図２は、手術用顕微鏡の顕微鏡部を拡大した斜視図である。
【００１１】
図１に示すとおり、手術用顕微鏡１は、その先端に術部を拡大観察する実体顕微鏡２と、実体顕微鏡２に接続するレーザ照射ユニット３を備え、実体顕微鏡２及びレーザ照射ユニット３を患者の上に配置して使用する。レーザ照射ユニット３は、患者の患部にレーザを照射するために、実体顕微鏡２に装着する部品である。操作者は、実体顕微鏡２により患部を拡大観察しながら、レーザ照射ユニット３から患部にレーザを照射する。このレーザ照射ユニット３は、実体顕微鏡２に対して装着可能な構成となっており、図２に示すとおり、レーザ照射ユニット３と実体顕微鏡２の接続は接続固定ネジ４で固定されている。更に、レーザ照射ユニット３と実体顕微鏡２の接続部には落下防止器具５が取り付けられている。実体顕微鏡２は、レーザ照射が不要な手術の場合にはレーザ照射ユニット３が取り外された状態でも患部を拡大する顕微鏡として使用可能なため、レーザ照射ユニット３を実体顕微鏡２に対して装着可能な構成とすることで、例えばレーザ照射ユニット３の修理等の必要が発生した場合には、レーザ照射ユニット３を実体顕微鏡２から取り外して、レーザ照射ユニット３が取り外された実体顕微鏡２を手術用顕微鏡として使用することができる。
【００１２】
図３に、実体顕微鏡２とレーザ照射ユニット３の接続部の断面図を示す。
【００１３】
レーザ照射ユニット３にはアリガタ（ｄｏｖｅｔａｉｌ  ｔｅｎｏｎ）が形成され、実体顕微鏡２にはアリ溝（ｄｏｖｅｔａｉｌ  ｇｒｏｏｖｅ）が形成され、レーザ照射ユニット３に形成されたアリガタが実体顕微鏡２に形成されたアリ溝と嵌合し、さらにアリガタの傾斜側面が接続固定ネジ４の先端に押圧されている。接続固定ネジ４が実体顕微鏡２を貫通し、接続固定ネジ４の先端がレーザ照射ユニット３に形成されるアリガタの傾斜面を押圧することで実体顕微鏡２及びレーザ照射ユニット３の接続を固定している。実体顕微鏡２とレーザ照射ユニット３の接続部には、落下防止器具５が取り付けられており、落下防止器具５は、落下防止器具固定ネジ６によりレーザ照射ユニット３に固定されている
。
【００１４】
図４は、図２における落下防止器具５付近を拡大した斜視図である。図３及び図４に示すように、落下防止器具５には第１の開口部７が形成されており、接続固定ネジ４が第１の開口部７の内側に位置するように落下防止器具固定ネジ６で落下防止器具５がレーザ照射ユニット３にネジ止めされている。すなわち、第１の開口部７が接続固定ネジ４の軸部と接触しない状態で、落下防止器具５はレーザ照射ユニット３に固定されている。また、落下防止器具５は接続固定ネジ４を覆うカバー部８を有する。カバー部８は、接続固定ネジ４の挿入方向に対して垂直な平面であって、接続固定ネジ４の実体顕微鏡２の外側に露出しているネジ先端部を覆うように位置している。
【００１５】
図５は、本発明の実施の形態の落下防止器具の外観を示す斜視図である。
落下防止器具５は、実体顕微鏡２及びレーザ照射ユニット３の接続部に面する部分９と、接続部に面する部分９と接続され接続固定ネジ４の一端を覆うように折り曲げられたカバー部８と、接続部に面する部分９に形成され接続固定ネジ４を内側に配置するための第１の開口部７と、落下防止器具固定ネジ６でネジ止めするための第２の開口部１０を備える。なお、ここでは第１の開口部７は楕円形としたが、接続固定ネジ４を内側に配置できる大きさの開口であればよくその形状は楕円形に限られない。
【００１６】
落下防止器具５は、このように接続固定ネジ４を内側に配置する第１の開口部７を有することにより、レーザ照射ユニット３を押圧している接続固定ネジ４の押圧力が弱くなりレーザ照射ユニット３が落下しそうになった場合に、レーザ照射ユニット３に固定される落下防止器具５の第１の開口部７が、実体顕微鏡２に貫通する接続固定ネジ４と掛合するため、レーザ照射ユニット３の落下を防止することができる。更に、第１の開口部７の内側に接続固定ネジ４を配置し、接続固定ネジ４の軸部と第１の開口部７が接触しない状態で落下防止器具５がレーザ照射ユニット３に固定されているため、落下防止器具５を取り付けても接続固定ネジ４に余分な応力を与えない。
【００１７】
また、落下防止器具５が、接続固定ネジ４の一端を覆うカバー部８を有することにより、接続固定ネジ４の緩み量が接続固定ネジ４のネジ頭と落下防止器具５のカバー部８との隙間分に制限される。これにより、レーザ照射ユニット３と接続固定ネジ４の先端が完全に離間するまで接続固定ネジ４が緩まないように調節することができる。また、接続固定ネジ４のネジ頭は落下防止器具５のカバー部８に覆われるため、術者が誤って接続固定ネジ４を緩める可能性を低減することができる。
【００１８】
図６は、レーザ照射ユニット３に対する接続固定ネジ４の押圧が減少したときの実体顕微鏡２とレーザ照射ユニット３の接続部の断面図を示し、図７は、レーザ照射ユニット３に対する接続固定ネジ４の押圧が減少したときの落下防止器具付近の拡大図を示す。ここでは、接続固定ネジ４の先端が破損した場合の例を示している。接続固定ネジ４の先端が破損した場合、レーザ照射ユニット３のアリガタを実体顕微鏡２のアリ溝に固定するように押圧していた力がなくなるため、レーザ照射ユニット３は下方向に移動する。すると、図６及び図７に示すように、レーザ照射ユニット３に固定される落下防止器具５の第１の開口部７が、実体顕微鏡２に貫通する接続固定ネジ４と掛合する。すなわち、第１の開口部７が接続固定ネジ４の軸部と接触する。これにより、レーザ照射ユニット３が実体顕微鏡２から完全に落下することを防止する。
【００１９】
すなわち、落下防止器具５は、通常の状態では実体顕微鏡２とレーザ照射ユニット３との接続を固定する機能は有さず、実体顕微鏡２とレーザ照射ユニット３とは、アリガタ・アリ溝と接続固定ネジ４を押し付けることによって固定されており、落下防止器具５は、接続固定ネジ４が緩むなどしてレーザ照射ユニット３が下方向に移動したときにレーザ照
射ユニット３が完全に落下することを防止するものである。
【００２０】
このように、接続固定ネジ４の緩みに例え術者が気づかなくても、落下防止器具を備えることによってレーザ照射ユニット３の実体顕微鏡２からの完全な落下を防止することができる。従って、レーザ照射ユニット３を患者の上で使用している際に、レーザ照射ユニット３が患者の上に落下することを防止することができる。また、レーザ照射ユニット３は、レーザ照射のためのレンズ等を備えるため落下すると破損しやすいため、このように落下防止器具５を取り付けて完全に落下することを防止することにより、レーザ照射ユニット３の破損を防止することができる。
【００２１】
なお、ここではレーザ照射ユニット３にはアリガタが形成され、実体顕微鏡２にはアリ溝が形成され、レーザ照射ユニット３に形成されたアリガタが実体顕微鏡２に形成されたアリ溝と嵌合し、さらにアリガタの傾斜側面が接続固定ネジ４の先端に押圧されている例をしめしたが、レーザ照射ユニット３及び実体顕微鏡２を接続する接続固定ネジ４があればよく、アリガタ及びアリ溝が形成されておらず、レーザ照射ユニット３及び実体顕微鏡２を接続するように接続固定ネジ４が挿通していればよい。
【００２２】
また、ここでは実体顕微鏡２と接続して使用する部品がレーザ照射ユニット３である例を説明したが、手術中に実体顕微鏡２と接続して使用するものであればよく、これに限られない。更に、ここでは落下防止器具５を手術用顕微鏡１に用いる例を説明したが、落下防止器具５は、ネジにより第１の部品と第２の部品を接続する接続部に取り付けられていれば良く、接続する第１の部品及び第２の部品は実体顕微鏡及びレーザ照射ユニットに限られない。
【産業上の利用可能性】
【００２３】
本発明にかかる落下防止器具は、ネジで固定されている物体の落下を防止できることから、手術用顕微鏡に接続するレーザ照射ユニット又は、これに限らずネジで固定している物体全般に対して有用である。
【符号の説明】
【００２４】
１      手術用顕微鏡
２      実体顕微鏡
３      レーザ照射ユニット
４      接続固定ネジ
５      落下防止器具
６      落下防止器具固定ネジ
７      第１の開口部
８      カバー部
９      接続部に面する部分
１０    第２の開口部
【図１】
2014191004.tif 000003
【図２】
2014191004.tif 000004
【図３】
2014191004.tif 000005
【図４】
2014191004.tif 000006
【図５】
2014191004.tif 000007
【図６】
2014191004.tif 000008
【図７】
2014191004.tif 000009